(57)【要約】【課題】排気用換気装置に取り付けれらているフィルターの下方の調理領域において、調理用油の引火等によるぼやが発生したとしても、フィルター取付具よりも排気用換気装置側への前記ぼやによる炎の通過量を減少させ、排気用換気装置の延焼を防ぐフィルター取付具を提供することを課題とする。【解決手段】枠状をなして開口領域を形成すると共に、該開口領域を覆うように通気性を有する枚葉状のフィルターを配置可能に構成される枠本体を備え、排気用換気装置の吸気側を覆うように前記フィルターを該排気用換気装置に着脱可能に取り付けるためのフィルター取付具であって、前記フィルターを前記排気用換気装置に取り付けた際、吸気方向に炎が通過するのを防ぐために前記フィルターの前記排気用換気装置側に沿って且つ前記開口領域を覆うように配設されると共に、複数の通気開口が形成される防炎部材を備えることを特徴とする。【選択図】図１
0003126851.tif 000002
【実用新案登録請求の範囲】
【請求項１】
枠状をなして開口領域を形成すると共に、該開口領域を覆うように通気性を有する枚葉状のフィルターを配置可能に構成される枠本体を備え、排気用換気装置の吸気側を覆うように前記フィルターを該排気用換気装置に着脱可能に取り付けるためのフィルター取付具であって、
前記フィルターを前記排気用換気装置に取り付けた際、吸気方向に炎が通過するのを防ぐために前記フィルターの前記排気用換気装置側に沿って且つ前記開口領域を覆うように配設されると共に、複数の通気開口が形成される防炎部材を備えることを特徴とするフィルター取付具。
【請求項２】
前記防炎部材の前記開口領域を覆う部分に形成される前記複数の通気開口の全通気開口領域が前記開口領域に対して３０％以上且つ６０％以下である請求項１に記載のフィルター取付具。
【請求項３】
前記防炎部材は、該枠本体の開口領域を覆うように配置されたフィルターの外周縁部を前記枠本体に向けて押さえ付け、該枠本体との間に前記フィルターの外周縁部を挟み込んで保持できるよう、前記枠本体に取付手段を介して着脱可能に取り付けられる請求項１又は２に記載のフィルター取付具。
【請求項４】
前記複数の通気開口は、隣り合う通気開口同士が所定間隔をおいて規則正しく並ぶように形成される請求項１乃至３の何れか一項に記載のフィルター取付具。
【請求項５】
前記防炎部材は、少なくとも前記開口領域を覆う部分がパンチングボードで構成される請求項１乃至４の何れか一項に記載のフィルター取付具。
【請求項６】
前記複数の通気開口は、平行に開口する複数本のルーバー状通気開口である請求項１乃至４の何れか一項に記載のフィルター取付具。
【請求項７】
枠状をなして開口領域を形成すると共に、該開口領域を覆うように通気性を有する枚葉状のフィルターを配置可能に構成されるフィルター取付具の枠本体に、該枠本体の開口領域を覆うように配置されたフィルターの外周縁部を前記枠本体に向けて押さえ付け、該枠本体との間にフィルターの外周縁部を挟み込んで保持できるよう、前記枠本体に取付手段を介して着脱可能に取り付けられるフィルター取付具用防炎部材であって、
前記フィルターを排気用換気装置の吸気側を覆うように取り付けた際、吸気方向に炎が通過するのを防ぐために、前記フィルターの前記排気用換気装置側に沿って且つ前記開口領域を覆うように配設されると共に、複数の通気開口が形成されることを特徴とするフィルター取付具用防炎部材。
【請求項８】
前記開口領域を覆う部分に形成される前記複数の通気開口の全通気開口領域が前記開口領域に対して３０％以上且つ６０％以下である請求項７に記載のフィルター取付具用防炎部材。
【請求項９】
少なくとも前記開口領域を覆う部分がパンチングボードで構成される請求項７又は８記載のフィルター取付具用防炎部材。
【請求項１０】
前記複数の通気開口は、平行に開口する複数本のルーバー状通気開口である請求項７又は８記載のフィルター取付具用防炎部材。
【考案の詳細な説明】
【技術分野】
【０００１】
本考案は、加熱調理に伴って発生する熱気を外部に排気する既設の排気用換気装置に対して枚葉状のフィルターを取り付けるためのフィルター取付具及びフィルター取付具用防炎部材に関する。
【背景技術】
【０００２】
従来から、ガスコンロやＩＨコンロ等の加熱調理器を用いて食材等を加熱調理する際に発生する熱気や臭気を排気するために、該加熱調理を行う領域（加熱調理領域）の上方に排気用換気装置（換気扇やレンジフード型換気扇）が設置されるのが一般的である。
【０００３】
該排気用換気装置は、上述のように、加熱調理に伴う熱気等を外部に排出（排気）して室内の換気を行うものであるため、換気に伴って吸気ファン等が配設された装置内部には、油汚れ等が付着してしまう。そのため、定期的に油汚れ等の除去作業（清掃作業）が必要になるが、油汚れは非常に除去し難く、かかる清掃作業は非常に煩雑なものとなる。そこで、装置内部への油の流入を防止して清掃の簡素化を図るために、既設の排気用換気装置に対してフィルターを交換（着脱）可能に取り付けるためのフィルター取付具が提供されている。
【０００４】
図７に示すように、かかるフィルター取付具Ｐは、枠状をなして開口領域１５０を形成すると共に、該開口領域１５０を覆うように枚葉状のフィルターＦを配置可能に構成された枠本体１５１と、該枠本体１５１上に配置されたフィルターＦの外周縁部を枠本体１５１に向けて押さえ付け、枠本体１５１との間にフィルターＦを挟み込んで保持するフィルター保持枠１５２とを備えている。尚、該フィルター取付具Ｐに採用されるフィルターＦは、上述のように、加熱調理に伴う熱気を通過させるため、通気性、及び難燃性を有する樹脂製の不織布等で構成されている。
【０００５】
前記枠本体１５１は、既設の排気用換気装置に取り付けるための取付手段１５３（例えば、磁石や掛止具）が設けられている。これにより、かかるフィルター取付具Ｐは、図８に示すように、排気用換気装置１００の吸気口１０１にフィルターＦを対向させた状態（吸気口１０１をフィルターＦで覆った状態）で、取付手段１５３を介して排気用換気装置１００に取り付けることで、換気（排気）時における通気性を確保した上で排気用換気装置１００の装置内部に油等が入り込むのを防止できるようになっている。
【０００６】
また、該フィルター取付具Ｐは、フィルター保持枠１５２を取り外すことでフィルターＦの交換ができるようになっており、フィルターＦに目詰まり等が発生したときに通気性の良い新たなフィルターＦに取り替えることで、換気効率の低下を防止するようになっている。
【考案の開示】
【考案が解決しようとする課題】
【０００７】
ところで、排気用換気装置１００に取り付けられているフィルター取付具Ｐの下方の加熱調理領域において、ぼや（小火）が発生した場合（例えば、天ぷら等の揚げ物を揚げる際に使用する調理用油に引火して火柱が上がった場合）に、フィルターＦが炎に曝されると、該炎が燃え広がらないように難燃性を有するフィルターＦ自体が収縮する。
【０００８】
また、上記構成のフィルター取付具Ｐにおける枠本体１５１は、フィルターＦへの気体の流入を考慮してフィルターＦの外周縁部を支持するように構成されているため、フィルターＦを排気用換気装置１００に取り付けた場合、その開口領域１５０には該開口領域１５０を覆うように取り付けられているフィルターＦだけが存在することになる。そのため、上述のように、該フィルターＦが収縮すると、該フィルターＦによって覆われていた前記開口領域１５０の大部分が開放されて前記吸気口１０１が露出してしまい、前記加熱調理領域から排気用換気装置１００の内部までの間に炎を遮るものが一切なくなってしまう。そうなると、多量の炎（火柱や火の粉等）が直接排気用換気装置１００の装置内部に到達してしまう。そして、排気用換気装置１００内部が多量の炎に曝されることで吸気ファン等で構成される内部機構に引火し、火災が発生するといった問題が懸念される。
【０００９】
そこで、本考案は、斯かる実情に鑑み、排気用換気装置に取り付けられているフィルターの下方の調理領域において、調理用油への引火等によるぼやが発生したとしても、フィルター取付具よりも排気用換気装置側への炎の通過量を減少させ、排気用換気装置の延焼を防ぐフィルター取付具及びフィルター取付具用防炎部材を提供することを課題とする。
【課題を解決するための手段】
【００１０】
そこで、上記課題を解決すべく、本考案に係るフィルター取付具は、枠状をなして開口領域を形成すると共に、該開口領域を覆うように通気性を有する枚葉状のフィルターを配置可能に構成される枠本体を備え、排気用換気装置の吸気側を覆うように前記フィルターを該排気用換気装置に着脱可能に取り付けるためのフィルター取付具であって、前記フィルターを前記排気用換気装置に取り付けた際、吸気方向に炎が通過するのを防ぐために前記フィルターの前記排気用換気装置側に沿って且つ前記開口領域を覆うように配設されると共に、複数の通気開口が形成される防炎部材を備えることを特徴とする。
【００１１】
かかる構成によれば、フィルター取付具の防炎部材は、フィルターをフィルター取付具を介して排気用換気装置の吸気側を覆うように取り付けた際、フィルターの排気用換気装置側に沿って且つフィルター取付具における枠本体の開口領域を覆うように配設されると共に、複数の通気開口が形成されることから、フィルターを通過した空気（熱気）を前記複数の通気開口を介して排気することが可能であり、排気用換気装置を駆動することで室内の換気を行うことができる。
【００１２】
そして、フィルターが取り付けられている排気用換気装置の下方の加熱調理領域におけるぼや（小火）等の失火によって、フィルターが炎に曝されて収縮した場合であっても、前記開口領域をフィルター取付具用防炎部材が覆うように配設されているため、フィルター取付具（枠本体）の加熱調理領域側から排気用換気装置側へ（吸気方向へ）通過する炎の量を減少させることができる。
【００１３】
即ち、複数の通気開口が形成されている前記防炎部材が、枠本体に、その開口領域を覆うように配設されているため、該開口領域を通過しようとする炎は、防炎部材の前記通気開口からしかフィルター取付具（の開口領域）を通過できず、また、防炎部材の前記通気開口が形成されていない部分では炎が遮られてしまうため、防炎部材のない従来のフィルター取付具に比べ、フィルター取付具（枠本体）を加熱調理領域側から排気用換気装置側へ通過する炎の量を減らすことができる。
【００１４】
さらに、前記防炎部材は、フィルターを排気用換気装置に取り付けた際、フィルターの排気用換気装置側に沿うよう、枠本体に配設されることから、フィルター取付具全体の厚み（吸気方向、若しくはフィルター面と直交する方向における幅）を薄くすることができ、排気用換気装置のフィルター取付具取り付け位置から空気を排気するための排気（吸気）用ファンまでの距離が短いタイプの排気用換気装置においてもフィルターを取り付けることができる。
【００１５】
また、前記防炎部材の前記開口領域を覆う部分に形成される前記複数の通気開口の全通気開口領域が前記開口領域に対して３０％以上且つ６０％以下である構成としてもよい。
【００１６】
かかる構成によれば、防炎部材は、前記複数の通気開口の全通気開口領域が前記開口領域に対して３０％以上且つ６０％以下となるように設定されていることから、室内の換気をする際にフィルターを通過する空気（熱気）を排出するためには充分な開口率が確保されると共に、前記加熱調理領域におけるぼや等による炎（火柱や火の粉等）によって排気用換気装置が延焼しない程度にまで、フィルター取付具を吸気方向へ通過する、即ち、排気用換気装置の吸気口から装置内部に到達する炎の量を減少させることができる。その結果、加熱調理領域におけるぼや等の失火によって、前記排気用換気装置が延焼して発生する火災を防ぐことができる。
【００１７】
また、前記防炎部材は、該枠本体の開口領域を覆うように配置されたフィルターの外周縁部を前記枠本体に向けて押さえ付け、該枠本体との間に前記フィルターの外周縁部を挟み込んで保持できるよう、前記枠本体に取付手段を介して着脱可能に取り付けられる構成としてもよい。
【００１８】
かかる構成によれば、防炎部材は、枠本体に、該枠本体の開口領域を覆うように配置されたフィルターの外周縁部を前記枠本体に向けて押さえ付け、該枠本体との間に前記フィルターの外周縁部を挟み込んで保持できるよう、前記枠本体に取付手段を介して着脱可能に取り付けられる。そのため、フィルター取付具は、従来のような、枠本体上に配置されたフィルターの外周縁部を枠本体に向けて押さえ付け、枠本体との間にフィルターを挟み込んで保持するためのフィルター保持枠を備える必要がなくなる。
【００１９】
その結果、部品点数を減らして省コスト化を図ると共に、上記同様に、フィルター取付具（枠本体）を加熱調理領域側から排気用換気装置側へ通過する炎の量を減らすことができ、加熱調理領域におけるぼや等の炎によって、前記排気用換気装置が延焼し、火災が発生することを防ぐことができる。
【００２０】
また、前記複数の通気開口は、隣り合う通気開口同士が所定間隔をおいて規則正しく並ぶように形成される構成としてもよい。
【００２１】
かかる構成によれば、防炎部材に形成される前記複数の通気開口は、隣り合う前記通気開口同士が所定間隔をおいて規則正しく並ぶように形成されることから、前記複数の通気開口が防炎部材の前記開口領域に対応する部分（領域）に略均一に分布するように形成される。そのため、排気するための空気（熱気）がフィルターを通過する際、前記開口領域全域に亘って略均一に空気がフィルターを通過するようになり換気効率が向上する。
【００２２】
また、前記防炎部材は、少なくとも前記開口領域を覆う部分がパンチングボードで構成される構成としてもよい。
【００２３】
かかる構成によれば、種々のパンチングボードが既製品として販売されており、また、パンチング加工する場合でも加工が行い易いことから、防炎部材の少なくとも前記開口領域を覆う部分がパンチングボードで構成されている、換言すると、前記防炎部材の大部分がパンチングボードで構成されているため、該防炎部材の製作コストの削減（省コスト化）を図ることができ、よってフィルター取付具の製作コストの省コスト化をも図ることができる。
【００２４】
また、前記複数の通気開口は、平行に開口する複数本のルーバー状通気開口である構成としてもよい。
【００２５】
かかる構成によれば、前記複数の通気開口が平行に開口する複数本のルーバー状通気開口で構成されていることから、前記フィルターの面と直交する方向からは、前記開口領域を覆っている防炎部材を通して向こう側が見えない、即ち、加熱調理領域側から排気用換気装置側が見えないような通気開口形状であるため、かかる方向に沿って炎が防炎部材を通過することがほとんどなく、複数の通気開口の通気開口領域をそれぞれ大きくしても防炎効果が下がることはない（防炎効果が高い）。従って、全通気開口領域の前記開口領域に対する開口率を大きくして、換気のための通過可能な空気の流量を大きくすると共に、前記フィルターに直交する方向に沿った炎の通過量が減少する、即ち、高い防炎効果が得られる。その結果、換気効率が向上すると共に、防炎効果を向上させて前記換気装置の延焼による火災発生を防ぐことができる。
【００２６】
また、本考案に係るフィルター取付具用防炎部材は、枠状をなして開口領域を形成すると共に、該開口領域を覆うように通気性を有する枚葉状のフィルターを配置可能に構成されるフィルター取付具の枠本体に、該枠本体の開口領域を覆うように配置されたフィルターの外周縁部を前記枠本体に向けて押さえ付け、該枠本体との間にフィルターの外周縁部を挟み込んで保持できるよう、前記枠本体に取付手段を介して着脱可能に取り付けられるフィルター取付具用防炎部材であって、前記フィルターを排気用換気装置の吸気側を覆うように取り付けた際、吸気方向に炎が通過するのを防ぐために、前記フィルターの前記排気用換気装置側に沿って、且つ前記開口領域を覆うように配設されると共に複数の通気開口が形成されることを特徴とする。
【００２７】
かかる構成によれば、複数の通気開口が形成されるフィルター取付具用防炎部材は、枠状をなして開口領域を形成すると共に該開口領域を覆うように通気性を有する枚葉状のフィルターを配置可能に構成されるフィルター取付具の枠本体に、前記枠本体の開口領域を覆うように配置されたフィルターを押さえ付け、該枠本体との間でフィルターの外周縁部を挟み込んで保持するよう、前記枠本体に取付手段を介して取り付けられると、前記フィルターの排気用換気装置側に沿って且つ前記開口領域を覆うように位置し、かかる状態のフィルター取付具を排気用換気装置に取り付ける（設置する）と、前記同様に、フィルターを通過した空気（熱気）を前記複数の通気開口を介して排気することが可能であり、排気用換気装置を駆動することで室内の換気を行うことができる。そして、フィルターが取り付けられている排気用換気装置の下方の加熱調理領域におけるぼや等によってフィルターが炎に曝されて収縮した場合であっても、フィルター取付具（枠本体）を通過してを加熱調理領域側から排気用換気装置側へ（吸気方向へ）通過する炎の量を減少させることができる。
【００２８】
また、前記開口領域を覆う部分に形成される前記複数の通気開口の全通気開口領域が前記開口領域に対して３０％以上且つ６０％以下である構成としてもよい。
【００２９】
かかる構成によれば、フィルター取付具用防炎部材は、前記開口領域を覆う部分に形成される前記複数の通気開口の全通気開口領域が前記開口領域に対して３０％以上且つ６０％以下であることから、該フィルター取付具用防炎部材をフィルター取付具に取り付け、その状態のフィルター取付具を排気用換気装置に取り付けると、前記同様、室内の換気をするためにフィルターを通過する空気（熱気）を排出するには充分な開口率が確保されると共に、前記加熱領域におけるぼや等による炎（火柱や火の粉等）によって排気用換気装置が延焼しない程度まで、フィルター取付具を吸気方向へ通過する炎の量を減らすことができる。その結果、加熱調理領域におけるぼや等の失火によって前記排気用換気装置が延焼し、火災が発生することを防ぐことができる。
【００３０】
また、少なくとも前記開口領域を覆う部分がパンチングボードで構成される構成としてもよい。
【００３１】
かかる構成によれば、フィルター取付具用防炎部材の少なくとも前記開口領域を覆う部分がパンチングボードで構成されているため、前記同様、種々のパンチングボードが既製品として販売されており、また、パンチング加工する場合でも加工が行い易いことから、前記フィルター取付具用防炎部材の製作コストの省コスト化を図ることができる。
【００３２】
また、前記複数の通気開口は、平行に開口する複数本のルーバー状通気開口である構成としてもよい。
【００３３】
かかる構成によれば、フィルター取付具用防炎部材は、前記複数の通気開口が平行に開口する複数本のルーバー状通気開口で構成されていることから、該フィルター取付具用防炎部材をフィルター取付具に取り付け、その状態のフィルター取付具を排気用換気装置に取り付けると、前記同様、前記フィルターの面と直交する方向からは、前記開口領域を覆っている防炎部材を通して向こう側が見えないため、かかる方向に沿って炎がフィルター取付具用防炎部材を通過することがほとんどなく、複数の通気開口の通気開口領域をそれぞれ大きくしても防炎効果が高い。従って、全通気開口領域の前記開口領域に対する開口率を大きくして、換気のための通過可能な空気の流量を大きくすると共に、前記方向に沿った炎の通過量を減少させる、即ち、高い防炎効果が得られる。その結果、換気効率が向上すると共に、防炎効果を向上させて加熱調理領域におけるぼや等の失火によって前記排気用換気装置が延焼し、火災が発生することを防ぐことができる。
【考案の効果】
【００３４】
以上のように、本考案に係るフィルター取付具によれば、排気用換気装置に取り付けれらているフィルターの下方の調理領域において、調理用油の引火等によるぼや等が発生したとしても、フィルター取付具よりも排気用換気装置側への前記ぼや等による炎の通過量（到達量）を減少させ、排気用換気装置の延焼を防ぐフィルター取付具及びフィルター取付具用防炎部材を提供することができるようになる。
【考案を実施するための最良の形態】
【００３５】
以下、本考案の一実施形態に係るフィルター取付具について、添付図面を参照しつつ説明する。尚、本実施形態に係るフィルター取付具の一構成要素である後述の防炎部材（防炎プレート）と本考案の一実施形態に係るフィルター取付具用防炎部材（フィルター取付具用防炎プレート）とは同一の構成及び使用方法であるため、その説明は、フィルター取付具の構成及び使用方法の説明と共に行う。
【００３６】
本実施形態に係るフィルター取付具は、ガスコンロやＩＨコンロ等の加熱調理器を用いて加熱調理を行う際に発生する熱気等を外部に排気するために、加熱調理器（加熱調理を行う領域：加熱調理領域）の上方に設けられた既設の排気用換気装置（本実施形態においては、ユニット化された換気装置の一構成要素のレンジフード（金属製カバー））に取り付けるものであり、図１に示すように、枠状をなして開口領域１０を形成すると共に、該開口領域１０を覆うように枚葉状のフィルターＦを配置可能に構成された枠本体１と、開口領域１０と対応する領域内のフィルターＦを補助的に支持するフィルター補助支持体２と、開口領域１０を直交する方向に通過しようとする炎（火柱や火の粉等）を減少させる（抑制する）と共にフィルターＦを枠本体１に対して保持する防炎プレート（防炎部材、若しくはフィルター取付具用防炎プレート（フィルター取付具用防炎部材））３とを備えている。
【００３７】
尚、該フィルター取付具Ｐに使用されるフィルターＦには、開口領域１０を覆うように枠本体１内に嵌め込むことができる枚葉状の不織布等で構成されたもの、即ち、枠本体１の内形状（後述するプレート部１１の平面視外形）に対応するように平面形状が設定されると共に所定の厚みに設定された通気性を有するものが採用される。具体的には、通気性、及び難燃性（或いは難燃性）を奏するように、樹脂繊維（例えば、不織布）やガラス繊維（例えば、ロックウール）等で構成される。
【００３８】
前記枠本体１は、外形が略矩形をなして前記開口領域１０を画定する枠状のプレート部１１と、プレート部１１の各外縁部から該プレート部１１と面交差する方向に延出した延出部１２と、前記防炎プレート３を係止するために、対向する一組（一対）の延出部１２の先端部で互いに対向する位置から内側（互いに対向する延出部１２）に向けて突出するように設けた（突設された）２組（二対）の係止片（取付手段）１３と、該枠本体１をレンジフードに取り付けるための取付手段１４とで構成されている。尚、本実施形態に係る枠本体１は、安全面を考慮して、プレート部１１に支持されるフィルターＦを補助的に支持するために、フィルター補助支持体２が開口領域１０を跨いで対向するプレート部１１に接続するように配設されている。
【００３９】
本実施形態において、当該フィルター取付具Ｐが取り付けられる対象が、金属板で構成されて磁性を有するレンジフードであるので、取付手段１４には、磁石が採用されている。該磁石１４は、一面が開口状態にある箱状のブラケット１５を介して前記係止片１３の突設された延出部１２に、より詳細には、二つの係止片１３，１３が所定間隔をおいて突設されている延出部１２の該二つの係止片１３，１３間の中央部に固着されている。
【００４０】
前記フィルター補助支持体２は、金属製の二本の棒材で構成されている。該二本の棒材（フィルター補助支持体）２，２は、所定間隔を有して軸心と直交する方向に並列に設けられており、各端部がプレート部１１の内周端面に固着されている。
【００４１】
前記枠本体１は、前記取付手段１４（ブラケット１５）、フィルター補助支持体２及び係止片１３を除いて、一枚の板材を折曲加工して形成されており、その折曲加工したものに対して前記係止片１３、取付手段１４（ブラケット１５）、及びフィルター補助支持体２が取り付けられることで形成されている。
【００４２】
前記防炎プレート（防炎部材、若しくはフィルター取付具用防炎プレート（フィルター取付具用防炎部材））３は、プレート部１１上にフィルターＦを配置した状態でフィルターＦと係止片１３との間の間隙と略同一或いは間隙よりもやや厚い板厚の金属製の板材に複数の通気開口（通気孔）２０，２０，…を穿設することで構成されている。詳しくは、該防炎プレート３は、枠本体１の内形状（プレート部１１の平面視外形）に対応するように平面形状が設定された金属製の板材に、枠本体１へ取り付けた際の開口領域１０に対応する領域内に複数の通気開口２０，２０，…が、隣り合う該通気開口２０，２０同士が所定間隔をおいて規則正しく配設（穿設）されている。この場合、換気効率を考慮すると共に、複数の通気開口２０，２０，…を通過する炎の量（防炎効果）も考慮して、枠本体１の開口領域１０に対応する領域の全通気開口領域の開口率が３０％以上且つ６０％以下となるように、通気開口２０の数や径、隣り合う通気開口２０，２０同士の間隔（距離）等を設定することは勿論である。本実施形態においては、通気開口２０，２０，…が千鳥状に配設された、所謂、パンチングボードによって構成されており、前記通気開口２０，２０，…は、直径２ｍｍ〜２０ｍｍの円形に形成（穿設）される。尚、通気開口２０，２０，…は、円形に限定される必要はなく、矩形状であってもよく、その場合は、一辺を２ｍｍ〜２０ｍｍ程度とすることが好ましい。
【００４３】
本実施形態に係るフィルター取付具Ｐ及びフィルター取付具用防炎部材（フィルター取付具用防炎プレート、若しくは防炎部材（防炎プレート））３は、以上の構成からなり、次に、フィルター取付具Ｐ及びフィルター取付具用防炎部材３の使用状態について説明する。
【００４４】
上記構成のフィルター取付具Ｐは、図２に示すように、枠本体１内にフィルターＦを配置し、防炎プレート３の両端部をフィルターＦと枠本体１の係止片１３との間に介装することで、フィルターＦがその一方面をプレート部１１及びフィルター補助支持体２に支持されると共にその反対面を防炎プレート３で支持されることで、枠本体１に保持された態様となる。即ち、この状態において、該フィルターＦは、開口領域１０を覆った状態で、フィルター補助支持体２によって開口領域１０側への変位が規制され、防炎プレート３によってプレート部１１とは反対側（レンジフードと対向する側）への移動が規制された態様となり、当該フィルター取付具Ｐがレンジフードに対して取り付け得る状態となる。
【００４５】
そして、図３に示すように、フィルターＦがレンジフード１００の吸気口１０１の形成された壁部（本実施形態においては下壁部）１０２と枠本体１（プレート部１１）との間に介在するように、フィルター取付具Ｐを配置すると、取付手段（磁石）１４がレンジフード１００の下壁部１０２に磁着して、当該フィルター取付具Ｐの取り付けが完了する。この状態において、図４に示すように、レンジフード１００の吸気口１０１は、枠本体１に包囲されると共にフィルターＦに覆われた態様となり、開口領域１０、フィルターＦ及び通気穴２０を順に介して吸気口１０１に空気が流入できる状態となる。尚、図３及び図４においては、大型のレンジフードに対してフィルター取付具Ｐを二つ並列に取り付けるときの状態を示している。
【００４６】
そして、レンジフード１００の下方の領域（加熱調理領域）で加熱調理が行われ、その加熱調理に伴う熱気が排気用換気装置（レンジフード１００）によって排気されるに際し、該熱気は枠本体１の開口領域１０及びフィルターＦを介して防炎プレート３の通気穴２０，２０…を流通して外部に排気される一方で、油や塵等はフィルターＦによって捕らえられることになる。これにより、換気装置内への油等の流入が防止されるので、換気装置内における油の付着が抑制され或いは完全に防止されることになり、換気装置の清掃を簡単に行うことができる。
【００４７】
そして、レンジフード１００の下方の加熱調理領域において、ぼや（小火）が発生した場合（例えば、天ぷら等の揚げ物を揚げる際に使用する調理用油に引火して火柱が上がった場合）、前記開口領域１０を覆うように取り付けられているフィルターＦが炎に曝される。そうすると、フィルターＦは、難燃性を有するために該フィルターＦ自体は燃焼しないが、熱によって収縮し、覆われていた前記開口領域１０が開放され、レンジフード１００の吸気口１０１が露出する。しかし、フィルターＦに沿って開口領域１０全域を覆うように防炎プレート（フィルター取付具用防炎プレート）３が配設されていることから、前記炎は、その全てが吸気口１０１内に進入することができず、換言すると、開口領域１０をフィルター取付具Ｐ（枠本体１）の加熱調理領域側から排気用換気装置（レンジフード１００）側へ（吸気方向へ）通過する炎の量を減少させることができる。
【００４８】
即ち、複数の通気開口２０，２０，…が形成されている前記防炎プレート３が、枠本体１に、その開口領域１０全域を覆うように配設されているため、該開口領域１０を通過して吸気口１０１内に進入しようとする炎（火柱や火の粉等）は、防炎プレート３の通気開口２０，２０，…からしかフィルター取付具Ｐを通過できず、また、防炎プレート３の前記通気開口２０，２０，…が形成されていない部分では炎が遮られてしまうため、フィルター取付具Ｐ（枠本体１）を加熱調理領域側から排気用換気装置側へ通過する炎の量を減らすことができる。その結果、排気用換気装置（レンジフード１００）の吸気口１０１から装置内に入る炎を大幅に減らすことができるため、該排気用換気装置（レンジフード１００）が延焼して火災が発生することを防止することができる。
【００４９】
また、上記フィルター取付具Ｐは、フィルターＦに沿って防炎プレート３を取り付けることができる（配設する）ため、フィルター取付具Ｐ全体の厚みを薄くすることができ、吸気口から吸気ファンまでの距離が短いタイプの排気用換気装置であっても、取り付け（使用）可能である。
【００５０】
尚、本考案のフィルター取付具Ｐは、上記した実施の形態に限定されるものではなく、本考案の要旨を逸脱しない範囲内において種々変更を加え得ることは勿論である。
【００５１】
上記実施形態において、枠本体１を矩形の枠状に構成したが、これに限定されるものではなく、例えば、平面視円形の枠状に構成するようにしてもよい。この場合においても、防炎プレート（フィルター取付具用防炎プレート）３の外形を枠本体１（開口領域１０）の形状に合わせるようにすることは勿論である。
【００５２】
また、上記実施形態において、防炎プレート３全体をパンチングボードで構成するようにしたが、これに限定されるものではなく、例えば、目の細かい（通気開口の直径が０．５ｍｍ〜３．０ｍｍ程度）金網等で構成してもよい。このようにしても、通気性を確保すると共に防炎効果を得る（通過する炎を減少させる）こともできる。
【００５３】
また、図５に示すように、防炎プレート（フィルター取付具用防炎プレート）３の開口領域１０に対応する領域（位置）に、通気開口として、ルーバー状の開口部２０’を形成してもよい。このような通気開口２０’の形状とすることで、フィルターＦの面と直交する方向（吸気方向）からは、前記開口領域１０を覆っている防炎プレート３を通して向こう側が見えないような開口形状であるため、かかる方向に沿って炎が防炎プレート３を通過することがほとんどなく、複数のルーバー状の通気開口２０’，２０’，…の通気開口領域をそれぞれ大きくしても防炎効果を高く保つことができる。従って、全通気開口領域の前記開口領域１０に対する開口率を大きくして換気のための空気の通過可能な流量を大きくすると共に、前記フィルターＦの面に直交する方向に沿った炎の通過量を減少させる、即ち、高い防炎効果が得られる。その結果、換気効率が向上すると共に防炎効果を向上させ、加熱調理領域におけるぼや等の失火によって前記排気用換気装置が延焼し、火災が発生することを防ぐことができる。尚、この場合、通気開口２０’の大きさは、短手（幅）方向が１ｍｍ〜５ｍｍで、長手（長さ）方向が１０ｍｍ〜５００ｍｍの矩形状に形成され、隣り合う通気開口２０’，２０’間の帯板状部分（羽板部分）は、それぞれが斜めに傾斜すると共にそれぞれが平行又は略平行になるように形成される（図５（ロ）参照）。
【００５４】
また、上記実施形態においては、防炎プレート３は、枠本体１とは別体として構成されているが、枠本体１と一体的に形成されていてもよい。この場合、図６に示すように、フィルター取付具Ｐ’の枠本体１’は、厚さ方向中央部（後述する延出部１２’の中央部）に、開口領域全域を覆うように複数の通気開口２０，２０，…が穿設された防炎プレート部３’が一体的に形成されている。そして、該フィルター取付具Ｐ’は、フィルターＦを枠本体１’に取り付けるために、枠本体１’の防炎プレート部３’上に配置されたフィルターＦの外周縁部を防炎プレート部３’に向けて押さえ付け、防炎プレート部３’との間にフィルターＦを挟み込んで保持するフィルター保持枠ＦＬをさらに備えている。該フィルター保持枠ＦＬは、防炎プレート部３’の各外縁部から該防炎プレート部３’と面交差する方向に延出した延出部１２’の内面側に突設された係止片１３’とフィルターＦとの間に介装することで、フィルターＦが防炎プレート部３’に支持されると共にフィルター保持枠ＦＬで支持されて、換言すると、防炎プレート部３’とフィルター保持枠ＦＬとでフィルターＦの周縁部が挟持されて、枠本体１’に保持された状態となる。
【００５５】
また、上記実施形態において、枠本体１のプレート部１１（及びフィルター補助支持体２）と防炎プレート３とでフィルターＦを挟持するように保持しているが、前記プレート部１１と前記フィルター保持枠ＦＬとでフィルターＦを挟持するように保持し、さらに、防炎プレート３を係止手段によって、枠本体１に取り付けるような構成としてもよい。
【００５６】
また、上述のように、防炎プレート３（又はフィルター保持枠ＦＬ）を枠本体１（又は１’）に対して別体で構成したが、これに限定されるものではなく、例えば、防炎プレート３（又はフィルター保持枠ＦＬ）の一端を枠本体１（又は１’）の一端部に枢着し、防炎プレート３（又はフィルター保持枠ＦＬ）の他端部を前記係止片１３に係止させるようにしてもよい。
【００５７】
また、上記実施形態において、枠本体１は、取付手段（磁石）１４によってレンジフード１００の下壁部１０２に磁着させることで取り付けられるが、これに限定される必要はない。例えば、枠本体は、レンジフードの吸気口或いは該吸気口と吸気ファンとを結ぶ空気の流通経路（排気経路）を挟んで対向するように設けられた一対の掛止溝に枠本体の両端部を嵌め込むことでレンジフードに取り付けられてもよく、また、レンジフードの下壁部にビス等で固定するように取り付けられてもよい。
【図面の簡単な説明】
【００５８】
【図１】本考案の一実施形態に係るフィルター取付具の分解斜視図を示す。
【図２】同実施形態に係るフィルター取付具の部分断面全体斜視図を示す。
【図３】同実施形態に係るフィルター取付具をレンジフードに取り付ける際の状態を示した斜視図を示す。
【図４】同実施形態に係るフィルター取付具をレンジフードに取り付けた状態の斜視図を示す。
【図５】他実施形態に係る防炎部材（フィルター取付具用防炎部材）の（イ）は斜視図を示し、（ロ）は一部を省略した縦断面図を示す。
【図６】他実施形態に係るフィルター取付具の分解斜視図を示す。
【図７】従来のフィルター取付具の分解斜視図を示す。
【図８】従来のフィルター取付具をレンジフードに取り付けた状態の斜視図を示す。
【符号の説明】
【００５９】
１，１’…枠本体、２…フィルター補助支持体、３…防炎プレート（防炎部材、フィルター取付具用防炎プレート（フィルター取付具用防炎部材））、３’…防炎プレート部（防炎部）、１０…開口領域、１１…プレート部、１２，１２’…延出部、１３，１３’…係止片（取付手段）、１４…取付手段（磁石）、１５…ブラケット、２０，２０’…通気開口、Ｆ…フィルター、ＦＬ…フィルター保持枠
【図１】
0003126851.tif 000003
【図２】
0003126851.tif 000004
【図３】
0003126851.tif 000005
【図４】
0003126851.tif 000006
【図５】
0003126851.tif 000007
【図６】
0003126851.tif 000008
【図７】
0003126851.tif 000009
【図８】
0003126851.tif 000010